(57)【要約】      （修正有）【課題】データ移行時等に、記憶媒体を接続して行う操作を終了する場合でも、記憶媒体の抜き忘れを防止する。【解決手段】装置本体２１と、装置本体２１に対して開閉自在に構成され、且つ、生体情報を表示する表示部２２と、装置本体２１及び表示部２２において閉状態で互いに重なる対向面のうち少なくとも一方の面に設けられ、記憶媒体が挿抜により接続可能なポートと、ポートに記憶媒体が接続された状態で装置本体２１と表示部２２とを閉状態にする或いは閉状態にした際に、ユーザに記憶媒体の抜脱を喚起する喚起手段４０とを有する。【選択図】図１
2019042047.tif 000002
【特許請求の範囲】
【請求項１】
装置本体と、
装置本体に対して開閉自在に構成され、且つ、生体情報を表示する表示部と、
前記装置本体及び前記表示部において閉状態で互いに重なる対向面のうち少なくとも一方の面に設けられ、携帯型の記憶媒体が挿抜により接続可能なポートと、
前記ポートに前記記憶媒体が接続された状態で前記装置本体と前記表示部とを閉状態にする或いは閉状態にした際に、ユーザに前記記憶媒体の抜脱を喚起する喚起手段と、
を有する、
生体情報表示装置。
【請求項２】
前記喚起手段は、
前記装置本体及び前記表示部の前記対向面以外の外面に設けられる窓部と、
前記装置本体と前記表示部とを閉状態にする或いは閉状態にした際に、前記ポートに接続された前記記憶媒体により押圧されて移動する押圧部と、
前記押圧部の移動により、前記窓部を介して、前記記憶媒体と前記ポートとの接続状態を表示して前記記憶媒体の抜脱を喚起する接続状態表示部と、
を有する、
請求項１記載の生体情報表示装置。
【請求項３】
前記接続状態表示部は、移動する前記押圧部に押圧されることにより回転可能に設けられ、回転して前記ポートと前記記憶媒体との非接続状態を前記接続状態に切り替えて前記窓部を介して表示する、
請求項２記載の生体情報表示装置。
【請求項４】
前記接続状態表示部は、前記窓部に対向して配置され、周方向で回転可能な面状をなし、
回転により前記窓部に対向する位置に移動する、前記接続状態を示す接続表示部と、前記非接続状態を示す非接続表示部とを有し、
前記接続状態表示部は、前記押圧部の押圧により回転して前記接続表示部を前記窓部に対向する位置に位置させ、前記押圧部の押圧が解除されると、前記非接続表示部を前記窓部に対向する位置に位置させる、
請求項３記載の生体情報表示装置。
【請求項５】
前記喚起手段は、
閉状態における前記表示部の最上面である天面に設けられる窓部と、
前記窓部を介して、前記記憶媒体と前記ポートとの接続状態を表示して前記記憶媒体の抜脱を喚起する接続状態表示部と、
を有する、
請求項１記載の生体情報表示装置。
【発明の詳細な説明】
【技術分野】
【０００１】
本発明は、心電計等の生体情報表示装置に関し、特に、装置本体に対して開閉自在に設けられ、装置本体に対して折り畳み可能な表示部を有する折り畳み式の生体情報表示装置に関する。
【背景技術】
【０００２】
病院等の医療現場においては、一人一人の患者の生体情報（例えば、心電図、血圧、呼吸回数、脈拍等）を、随時、収集したり、分析したり、表示したりすることが必要となり、これらの機能を有する生体情報表示装置が用いられている。また、患者は、病室、検査室、手術室等を移送されることも想定される。
【０００３】
例えば、患者の生体情報である心電図を測定して表示する心電計としては、心電図電極等から生体情報が入力される装置本体と、心電図等の生体情報を表示する表示部とを開閉動作により折り畳み可能に構成した心電計が知られている。
【０００４】
なお、装置本体と表示部とが開閉自在な折り畳み可能な医療電子機器としては、特許文献１に示すラップトップコンピュータ型の医療電子機器が知られており、この医療電子機器は、装置本体に、心電図電極、脈波センサ等を設けて、一般家庭で脈波、心電図を測定可能としている。
【先行技術文献】
【特許文献】
【０００５】
【特許文献１】国際公開第２０１４／１８４８６８号
【発明の概要】
【発明が解決しようとする課題】
【０００６】
ところで、生体情報を表示する心電計等の医療機器において、取得した生体情報或いは表示した生体情報等を含む診断データの移行は、通常、機器に挿抜可能な携帯型の記憶媒体（記憶装置でもよい）であるＵＳＢメモリを介して行われる。機器にＵＳＢメモリを接続して診断データを書き込み、そのＵＳＢメモリを他の機器に接続して内部に書き込まれた診断データを読み出すことで診断データは移行される。
【０００７】
従来の装置では、ＵＳＢメモリが接続されるＵＳＢポートは、装置本体の背面或いは、装置本体の側面に設けられている。よって、ユーザは、装置を操作しつつＵＳＢメモリを用いる際に、それらの位置のＵＳＢポートへＵＳＢメモリを抜き差しする必要があるため、ＵＳＢメモリが扱いにくくなる。特に背面にある場合では、ＵＳＢポートに接続したＵＳＢメモリの抜き忘れが生じるという問題がある。また、ＵＳＢメモリをＵＳＢポートに接続した状態では、ＵＳＢメモリ自体が装置本体から突出してユーザ或いは他機器がぶつかる恐れもあり、操作の際の邪魔になる可能性がある。
【０００８】
また、他の機器との間の診断データの移行等、ＵＳＢメモリを用いた操作は、頻繁に行う操作ではないため、装置使用後のＵＳＢメモリの抜き忘れがより生じやすい。
【０００９】
本発明はかかる点に鑑みてなされたものであり、データ移行時等に、ＵＳＢメモリ等の携帯型の記憶媒体を接続して行う操作を終了する場合でも、記憶媒体の抜き忘れを防止する生体情報表示装置を提供することを目的とする。
【課題を解決するための手段】
【００１０】
本発明の生体情報表示装置の一つの態様は、
装置本体と、
装置本体に対して開閉自在に構成され、且つ、生体情報を表示する表示部と、
前記装置本体及び前記表示部において閉状態で互いに重なる対向面のうち少なくとも一方の面に設けられ、携帯型の記憶媒体が挿抜により接続可能なポートと、
前記ポートに前記記憶媒体が接続された状態で前記装置本体と前記表示部とを閉状態にする或いは閉状態にした際に、ユーザに前記記憶媒体の抜脱を喚起する喚起手段と、
を有する構成を採る。
【発明の効果】
【００１１】
本発明によれば、ＵＳＢメモリ等の携帯型の記憶媒体を接続して行う操作を終了する場合でも、携帯型の記憶媒体の抜脱を促して携帯型の記憶媒体の抜き忘れを防止することができる。
【図面の簡単な説明】
【００１２】
【図１】本発明に係る一実施の形態の生体情報表示装置の外観斜視図である。
【図２】図１に示す生体情報表示装置においてＵＳＢメモリを接続可能な状態とした外観斜視図である。
【図３】図１に示す生体情報表示装置においてＵＳＢメモリを接続した状態を示す生体情報表示装置の外観斜視図である。
【図４】同生体情報表示装置の背面図である。
【図５】図１に示す生体情報表示装置におけるＵＳＢ収容部分の拡大図である。
【図６】図５に示すＵＳＢ収容部分の側面図である。
【図７】スイッチ部の要部構成を示す外観斜視図である。
【図８】図７に示すスイッチ部の側面図である。
【図９】ガイド部の外観斜視図である。
【図１０】ガイド部を外した状態のスイッチ部を示す斜視図である。
【図１１】ガイド部を外した状態を示すスイッチ部を背面側から見た図である。
【図１２】押圧部の外観斜視図である。
【図１３】回転部の外観斜視図である。
【図１４】スイッチ部の動作の説明に供する図である。
【図１５】生体情報表示装置の表示部を閉じた状態を示す斜視図である。
【図１６】スイッチ部を押圧するＵＳＢメモリの動作の説明に供する図である。
【図１７】本発明に係る一実施の形態の生体情報表示装置の変形例１を示す外観斜視図である。
【図１８】同生体情報表示装置の喚起手段の動作を示す図である。
【図１９】本発明に係る一実施の形態の生体情報表示装置の変形例２を示す外観斜視図である。
【発明を実施するための形態】
【００１３】
以下、本発明の実施の形態について、図面を参照して詳細に説明する。
【００１４】
＜生体情報表示装置の全体構成＞
図１は、本発明に係る一実施の形態の生体情報表示装置の外観斜視図であり、図２は、図１に示す生体情報表示装置においてＵＳＢメモリを接続可能な状態とした外観斜視図である。また、図３は、図１に示す生体情報表示装置においてＵＳＢメモリを接続した状態を示す生体情報表示装置の外観斜視図であり、図４は、同生体情報表示装置の背面図である。
【００１５】
生体情報表示装置１００は、外部から入力される患者の生体情報を表示する生体情報表示装置である。本実施の形態では、生体情報表示装置１００は、接続された心電図電極等の生体情報取得部を介して取得した患者の心電情報を測定して表示する心電計である。生体情報表示装置１００は、取得したデータを、診断データとして記憶する。なお、生体情報表示装置１００が取得する生体情報は、心電図の他に、体温、脈拍、脈圧及び動脈血酸素飽和度であり、これらを計測して、波形、数値で表示してもよい。生体情報表示装置１００は、診断データを、継続的に計測した脈拍、脈圧及び動脈血酸素飽和度を含めて記憶してもよい。診断データを解析することにより、病状・原因を確認することができる。
【００１６】
生体情報表示装置１００は、装置本体２１、心電図を表示する表示部２２、携帯型の記憶媒体としてのＵＳＢメモリ５０が挿抜されるＵＳＢポート（ポート）３２及び喚起手段４０を有する。
【００１７】
装置本体２１と表示部２２とは、ヒンジ部３０を介して開閉自在に取り付けられ、装置本体２１に対して表示部２２を折り畳み自在である。生体情報表示装置１００は、装置本体２１の主面２１２に、表示部２２の表示画面２３（具体的には表示面２２１）を重ねて配置（つまり、閉状態）して、生体情報表示装置１００は未使用時或いは移動時においてコンパクト化できる。なお、装置本体２１の主面２１２と、表示部２２の表示画面２３とが互いに重なる対向面である。また、本実施の形態では、装置本体２１と表示部２２とは、ヒンジ部３０を介して開閉自在に取り付けられた構成としたが、これに限らず、生体情報を表示する表示部２２が装置本体２１に対して開閉自在に構成され、装置本体２１の主面２１２に、表示部２２の表示画面２３（具体的には表示面２２１）を重ねて配置可能であれば、どのように構成されてもよい。装置本体２１と表示部２２とがスライド可能に取り付けられても良いし、装置本体２１と表示部２２とを分離可能に構成して、互いの主面２１２と表示面２２１とに重ねて配置可能としてもよい。
【００１８】
装置本体２１は、外部から入力される生体情報としての心電図を処理して表示部２２の表示画面２３に表示したり、診断データとして記憶したりする。
【００１９】
装置本体２１は、本実施の形態では、生体情報取得部としての心電図電極（図示省略）が接続され、接続される心電図電極から生体情報として心電図が入力される。なお、装置本体２１は、表示する生体情報を、ＵＳＢポート３２に接続される携帯型の記憶媒体としてのＵＳＢメモリ５０を介して取得しても良い。
【００２０】
装置本体２１は、平面視矩形状に形成され、側面には、心電図電極等の生体情報取得部或いは、生体情報を取得する際に用いられる器機が接続される接続部が設けられている。
【００２１】
装置本体２１の主面２１２は、プリンタや操作キー等が配置される操作面であり、操作面の操作キーを操作することにより生体情報表示装置１００を操作する。
【００２２】
装置本体２１の主面２１２は、表示部２２が装置本体２１上に折り畳まれた際に、表示部２２において表示画面２３を有する表示面２２１と互いに対向する対向面である。
【００２３】
表示部２２は、平面視矩形状に形成され、ヒンジ部３０を介して装置本体２１の主面２１２に対して開閉することにより、装置本体２１に対する蓋体として機能する。表示部２２は、心電図等の生体情報を表示する表示画面２３を表示面２２１に備える。
【００２４】
装置本体２１の操作面である主面２１２と、主面２１２に重なる表示部２２の表示面２２１とのうち少なくとも一方の面には、ＵＳＢメモリ５０が接続されるＵＳＢポート３２が設けられている。本実施の形態では、ＵＳＢポート３２は、表示部２２の表示面２２１に設けられる。
【００２５】
生体情報表示装置１００は、図３に示すようにＵＳＢポート３２にＵＳＢメモリ５０を接続して、ＵＳＢメモリ５０からのデータの読み出し或いはＵＳＢメモリ５０へのデータの書き込みが可能となっている。
本実施の形態では、生体情報表示装置１００は、ＵＳＢメモリ５０に対し、特に、生体情報表示装置１００で測定した患者の診断データの読み出しを行ったり、ＵＳＢメモリ５０が記憶した診断データを読み出して表示部２２の表示画面２３に表示したりする。なお、生体情報表示装置１００に、ＵＳＢポート３２を介して挿抜により接続されるＵＳＢメモリ５０を、ＵＳＢメモリ５０以外の携帯型の記憶媒体としてもよい。この場合、生体情報表示装置１００は、操作面である主面２１２及び表示面２２１のうちの少なくとも一方の面に、ＵＳＢポート３２に代えて、接続可能な記憶媒体用のポートを有する構成とする。
【００２６】
＜喚起手段４０＞
喚起手段４０は、ＵＳＢポート３２にＵＳＢメモリ（携帯型の記憶媒体）５０が接続された状態で、表示部２２と装置本体２１とを折り畳むことで、表示部２２と装置本体２１とを閉じる際に、取り忘れたＵＳＢメモリ５０の抜脱をユーザに喚起する。
【００２７】
本実施の形態では、図１〜図６に示すように、喚起手段４０は、ＵＳＢポート３２を表示部２２に回動可能に取り付ける軸部４２と、収容部４４と、スイッチ部４６と、窓部４９とを有する。
【００２８】
窓部４９は、装置本体２１及び表示部２２の対向面である主面２１２、表示面２２１以外の外面に設けられる。本実施の形態では表示部２２の天面２２２に、回転表示円盤部４６６（詳細は後述する）の接続状態表示部４６６２の一部と対向する位置に設けられている。なお、窓部４９は、本実施の形態では、回転表示円盤部４６６（詳細は後述する）の回転軸からずれた位置に設けられている。
【００２９】
ＵＳＢポート３２は、一端部にＵＳＢメモリ５０のプラグが挿入されるソケット３２１を有する。ＵＳＢポート３２は、ソケット３２１側が揺動するように、生体情報表示装置１００（本実施の形態では表示部２２）に回動自在に取り付けられている。
【００３０】
ＵＳＢポート３２は、本実施の形態では、表示部２２の表示面２２１に形成された凹状の収容部４４において対向する内壁間に配置される。その対向する内壁間で、ＵＳＢポート３２の他端側が、軸部４２を介して取り付けられている。なお、軸部４２は、ヒンジ部３０の回動軸（図示しない）と平行に配置されている。
【００３１】
ＵＳＢポート３２は、回動により、ＵＳＢポート３２のソケット３２１が、収容部４４の開口方向に向けて開口する位置と、収容部４４内で突出する押圧部４６２の突出端である接触部４６２ａに向けて開口する位置とに移動する。ソケット３２１にＵＳＢメモリ５０のプラグを接続した状態で、ＵＳＢポート３２を回動して収容部４４内に移動させることにより、ＵＳＢメモリ５０は接触部４６２ａを押圧した状態で収容部４４内に収容される。
【００３２】
ＵＳＢポート３２は、本実施の形態では、図２に示すように、ソケット３２１の開口方向を表示面２２１と交差する方向（ここでは直交方向）に向けて配置可能である。この状態で開口側、ここでは、表示面２２１を視認できる位置（装置本体２１と表示部２２の開状態）にいるユーザ側からＵＳＢメモリ５０のプラグが挿入されることによりＵＳＢメモリ５０は接続される。この状態のＵＳＢメモリ５０は、表示面２２１から突出した状態でＵＳＢポート２３に接続され、表示面２２１から突出する。これにより、ユーザは、ＵＳＢポート３２にＵＳＢメモリ５０を外部から挿脱し易く、ユーザは表示画面２３で生体情報を確認可能な状態で、ソケット３２１にＵＳＢメモリ５０のプラグの装着状態を確認できる。また、本実施の形態では、ＵＳＢポート３２のソケット３２１を備える一端部は、回動により、表示面２２１から直交する方向に突出した位置に配置されるので、ユーザに対し、ＵＳＢポート３２のソケット３２１に対するＵＳＢメモリ５０の挿抜を一層行い易いものとしている。
【００３３】
収容部４４は、ＵＳＢメモリ５０が接続したＵＳＢポート３２を、表示面２２１から突出した状態と、表示面２２１から突出しない状態、つまり、表示面２２１よりも表示部２２の内部側に位置して収容した状態とに配置させる形状を有する。本実施の形態では収容部４４は、表示面２２１に開口し、表示部２２を折り畳む際の回動方向に沿って延在する矩形箱状に形成される。
【００３４】
収容部４４は、本実施の形態では、表示部２２の表示面２２１の一側辺部において、ヒンジ部３０が取り付けられる基端部側に設けられており、基端側の端部の対向する内壁間で軸部４２を介してＵＳＢポート３２を軸支している。
【００３５】
これにより、ＵＳＢポート３２に接続されたＵＳＢメモリ５０は、装置本体２１の主面２１２から表示部２２の表示面２２１を離間して表示面２２１の表示画面２３を露出させた状態（装置本体２１と表示部２２とが開状態）でも、表示面２２１の基端側で主面２１２である操作面に沿って配置される。すなわち、ユーザによる表示画面２３の視認作業の際でも、ＵＳＢポート３２に接続されたＵＳＢメモリ５０は、視認作業の邪魔になることがない。
【００３６】
スイッチ部４６は、収容部４４内に収容されるＵＳＢメモリ５０により接触部４６２ａが押圧されることにより、ＵＳＢメモリ５０がＵＳＢポート３２に接続された状態であることを、窓部４９を介して表示する。
【００３７】
スイッチ部４６は、本実施の形態では、接触部４６２ａが押圧されることにより、回転部４６４の回転表示円盤部４６６を回転させて、窓部４９を介して視認される表示形態を変更する。これにより、喚起手段４０は、窓部４９を介してユーザに、ＵＳＢメモリ５０が接続されている状態、つまり、取り忘れたＵＳＢメモリ５０の抜脱を喚起させる。
【００３８】
スイッチ部４６は、一部が押圧されることにより、ＵＳＢメモリ５０が接続されている状態をユーザに喚起させるものであればどのように構成されてもよい。スイッチ部４６は、例えば、タクタイルスイッチ、プッシュスイッチ等を適用しても良い。
【００３９】
本実施の形態のスイッチ部４６は、図５〜図１３に示すように、接触部４６２ａを有する押圧部４６２、第一付勢部材４６３、押圧部４６２により押圧されて回転する回転表示円盤部４６６を有する回転部４６４、第二付勢部材４６７、ガイド部４７を有する。
【００４０】
スイッチ部４６では、表示部２２において収容部４４の裏側に固定された筒状のガイド部４７により、押圧部４６２及び回転部４６４が、押圧方向に案内される。
【００４１】
ガイド部４７は、内壁部４７２に、ガイド部４７の軸方向に沿って延在する突条部であるガイド突起部４７４を有する。このガイド突起部４７４により、ガイド部４７内に配置された押圧部４６２及び回転部４６４は、押圧方向（ここではガイド部４７の軸方向に相当）への移動が案内される。
ガイド突起部４７４における基端側（表示部２２の天面部２２２側でもある）の端部４７４ａ（図１４参照）は、後述する回転部４６４（詳細には被押圧部４６５）の先端面を摺動して、受けラッチ部４６５３と係合したり、案内溝４６５４内に案内されたりする形状を有する。なお、ガイド突起部４７４の端部４７４ａが案内溝４６５４内に案内されると、ガイド突起部４７４自体が案内溝４６５４に係合した状態となる。
【００４２】
押圧部４６２は、接触部４６２ａを先端に備える棒状部４６２１の基端側に、基端部にラッチ爪４６２３を有するラッチ部４６２２が設けられている。
【００４３】
棒状部４６２１は、収容部４４の底面に形成された開口部に延在方向で進退自在に挿入され、先端の接触部４６２ａは収容部４４内に位置する。
【００４４】
ラッチ部４６２２は円柱状に形成され、外周に棒状部４６２１の延在方向に沿って設けられた案内溝４６２４を有し、案内溝４６２４内にはガイド部４７のガイド突起部４７４が配置される。
【００４５】
第一付勢部材４６３は、ガイド部４７に対して押圧部４６２を収容部４４側に付勢する。第一付勢部材４６３は、本実施の形態ではコイルバネであり、そのコイル部分がラッチ部４６２２の外周を囲むように配置されている。第一付勢部材４６３は、一端をガイド部４７側、つまり表示部２２側で固定し、他端部をラッチ部４６２２に固定している。
【００４６】
第一付勢部材４６３は、押圧部４６２を常時、収容部４４側に付勢する。これにより、押圧部４６２は、常態時では、接触部４６２ａ側が収容部４４内に突出した状態で、且つ、ガイド部４７により案内されて、押圧部４６２の延在方向、つまり、収容部４４の底面と交差する方向に進退自在な状態で配置されている。
【００４７】
回転部４６４は、被押圧部４６５と、回転表示円盤部４６６とを有し、被押圧部４６５は、ラッチ部４６２２のラッチ爪４６２３とガイド突起部４７４とに係合可能な受けラッチ部４６５３及び案内溝４６５４を備える。
【００４８】
回転部４６４は、本実施の形態では、表示部２２の内側で、ガイド部４７と、表示部２２の天面部２２２との間で、軸方向に移動自在に配置される。
【００４９】
被押圧部４６５は、筒状に形成され、ラッチ部４６２２に対向する側の一端部である先端部に受けラッチ部４６５３と、案内溝４６５４の開口とが周方向で交互に等間隔で設けられている。本実施の形態では、受けラッチ部４６５３と案内溝４６５４は、被押圧部４６５の軸回りで９０°毎に配置されている。被押圧部４６５の先端部の端面は、ラッチ爪４６２３が摺動した際に、受けラッチ部４６５３或いは案内溝４６５４に案内するカム面となっている。
被押圧部４６５は、基端側で、回転表示円盤部４６６が同一軸で一体に固定されている。
【００５０】
被押圧部４６５は、ガイド部４７内に挿入可能であるとともに、押圧部４６２によりガイド部４７の外に押し出される。
【００５１】
被押圧部４６５は、押圧部４６２により基端側に押圧されてガイド部４７からガイド部４７外に押し出されることにより回転可能となり、ラッチ爪４６２３が、被押圧部４６５における先端部の端面を摺動可能となる。被押圧部４６５が回転可能な状態では、被押圧部４６５は、カム面でラッチ爪４６２３を摺動させて、ラッチ爪４６２３を、受けラッチ部４６５３に係合させたり、或いは案内溝４６５４に係合させたりできる。
【００５２】
案内溝４６５４は、被押圧部４６５の外周に、被押圧部４６５の軸方向（棒状部４６２１の延在方向に相当）と平行に設けられる。案内溝４６２４は、内部にガイド部４７のガイド突起部４７４が配置されることにより、ガイド部４７に対して周方向の移動が規制される。
【００５３】
被押圧部４６５は、ガイド部４７の外に位置する場合、回転表示円盤部４６６とともに軸を中心に回転自在となる。
【００５４】
回転表示円盤部４６６の裏面には、ＵＳＢメモリ５０の接続状態或いは非接続状態を示す接続状態表示部４６６２が設けられている。
【００５５】
回転表示円盤部４６６は、本実施の形態では、表示部２２内で天面部２２２の裏面側で離間して対向配置されている。
【００５６】
回転表示円盤部４６６の接続状態表示部４６６２は、天面部２２２に開口して設けられた窓部４９を介して生体情報表示装置１００の外方に臨む。
【００５７】
接続状態表示部４６６２は、ここでは、軸を中心に周方向に異なる色彩が施された領域を有し、異なる色彩の領域は、ＵＳＢメモリ５０の接続状態と、非接続状態とを示す。異なる色彩の領域の部分は、ＵＳＢポート３２にＵＳＢメモリ５０が接続された状態を示す接続表示部と、ＵＳＢポート３２からＵＳＢメモリ５０が抜かれた非接続状態を示す非接続表示部である。
【００５８】
接続状態表示部４６６２は、押圧部４６２の押圧で回転部４６４が回転することにより、表示部２２の天面部２２２の窓部４９から外部に臨む色彩の領域が切り替えられる。これにより、接続状態表示部４６６２は、ユーザに、ＵＳＢメモリ５０の接続状態或いは非接続状態を報知する。ユーザは、窓部４９を介して接続状態表示部４６６２を視認できる。例えば、本実施の形態では、ＵＳＢメモリ５０の接続状態は赤色で示し、非接続状態は緑色で表示してユーザに報知する、つまり視認させる。
【００５９】
第二付勢部材４６７は、回転部４６４を周方向の一方に付勢するとともに、押圧部４６２側、つまり、ガイド部４７内に付勢する。
【００６０】
第二付勢部材４６７は、本実施の形態ではコイルバネであり、被押圧部４６５の基端側の外周を囲むように配置されている。第二付勢部材４６７は、表示部２２の筐体において、一端をガイド部４７側、つまり表示面２２１側で固定し、他端部を回転部４６４側（被押圧部４６５及び回転表示円盤部４６６）に固定している。
【００６１】
第二付勢部材４６７は、回転部４６４を常時、収容部４４側で且つ周方向の一方側、ここでは、押圧部４６２による被押圧部４６５への回転方向（例えば、図７のＤ１方向）と逆方向（例えば、図７の−Ｄ１方向）に付勢する。
【００６２】
＜本実施の形態の動作＞
ＵＳＢポート３２にＵＳＢメモリ５０を装着した状態で、表示部２２を装置本体２１上に重なるように折り畳むと、ＵＳＢポート３２に接続されたＵＳＢメモリ５０は、軸部４２を介して回動し、収容部４４内のスイッチ部４６の接触部４６２ａを収容部４４の底面側に押圧する。
【００６３】
このとき、スイッチ部４６では、押圧部４６２が、図１４に示すように、Ｄ３方向に押圧されることにより、押圧部４６２は、第一付勢部材４６３の付勢力（−Ｄ３方向の付勢力）に抗して、Ｄ３方向に移動する。
【００６４】
押圧部４６２は、ガイド部４７のガイド突起部４７４に案内されてガイド部４７内を基端側に移動する。ガイド部４７内には、第二付勢部材４６７により押圧部４６２側（−Ｄ４方向）に付勢された回転部４６４の被押圧部４６５が配置されているため、押圧部４６２は、被押圧部４６５を第二付勢部材４６７の付勢力に抗して、ガイド部４７の外に押し出す。
【００６５】
押圧部４６２により押圧される被押圧部４６５は、ガイド部４７内では、ガイド突起部４７４により周方向の移動が規制され、押圧された方向である軸方向（Ｄ４方向）に移動できる。
【００６６】
そして、押圧部４６２の基端側のラッチ爪４６２３がガイド部４７から基端側に突出して、被押圧部４６５は、ガイド部４７の外に押し出される。
【００６７】
このとき、回転部４６４自体がガイド部４７から外れ、周方向（図１０に示すＤ１方向及び−Ｄ１方向）への移動の規制が解除され、回転部４６４の被押圧部４６５は第二付勢部材４６７により−Ｄ１方向に付勢されつつ、被押圧部４６５の受けラッチ部４６５３が、押圧部４６２のラッチ爪４６２３に係合する。
【００６８】
被押圧部４６５は、受けラッチ部４６５３が押圧部４６２のラッチ爪４６２３で押圧されることにより、第二付勢部材４６７の付勢力に抗した方向（図１０に示すＤ１方向）に回転し、被押圧部４６５と一体の回転表示円盤部４６６も回転する。
【００６９】
回転表示円盤部４６６の回転により、接続状態表示部４６６２においてＵＳＢメモリ５０の接続状態を示す接続表示部である赤色部分が窓部４９と重なる位置に位置する。
【００７０】
これにより、図１５に示すように、窓部４９を介してユーザにＵＳＢメモリ５０がＵＳＢポート３２に挿しっぱなし状態、つまり、ＵＳＢメモリ５０が接続状態であることを表示する。
【００７１】
すなわち、ユーザは、装置本体２１上に表示部２２を折り畳んだ状態において、表示部２２の天面部２２２の窓部４９を介して、接続状態表示部４６６２の接続表示部である赤色部分を視認することができる。なお、本実施の形態のスイッチ部４６では、押圧部４６２が第一付勢部材４６３の付勢力によりＵＳＢメモリ５０側（−Ｄ３方向）に移動して、ラッチ爪４６２３が受けラッチ部４６５３から外れ、回転部４６４が第二付勢部材４６７により回転方向とは逆の−Ｄ１方向に移動しても、受けラッチ部４６５３が、カム面を摺動するガイド突起部４７４の端部４７４ａに係合して、その移動が規制され、ＵＳＢメモリ５０の接続状態を示す赤色部分の表示は維持される。
【００７２】
ＵＳＢメモリ５０が接続状態であることが窓部４９を介して表示された後で、接続されたＵＳＢメモリ５０をＵＳＢポート３２から抜いて取り外す際には、表示部２２を再び開いて表示画面２３を露出させ、収容部４４に収容されたＵＳＢメモリ５０を収容部４４の底面側にプッシュする。これにより、押圧部４６２が押圧されて回転部４６４の被押圧部４６５の受けラッチ部４６５３とガイド突起部４７４（詳細には、ガイド突起部４７４の端部４７４ａ）との係合状態は解放される。
【００７３】
すると、回転部４６４は、第二付勢部材４６７により−Ｄ１方向に回転し、ガイド部４７側に移動して、案内溝４６５４がガイド突起部４７４内に案内されて、被押圧部４６５がガイド部４７内に配置される。
これにより、接続状態表示部４６６２において接続表示部である赤色部分は、窓部４９と重なる位置から移動に位置して、ＵＳＢメモリ５０の非接続状態を示す非接続表示部である緑部分が窓部４９と重なる位置に位置する。
すなわち、スイッチ部４６では、回転部４６４の被押圧部４６５が押圧部４６２により押圧されることにより、ガイド部４７から外方に押し出されて、受けラッチ部４６５３とガイド突起部４７４の端部４７４ａとが係合して窓部４９に赤色部分を位置させる状態と、ガイド突起部４７４と案内溝４６５４とが係合して窓部４９に緑部分を位置させる状態と、を繰り返す。
【００７４】
なお、生体情報表示装置１００において、図１６に示すように、表示部２２と操作本体２１との間の角度が、所定角度α（例えば９０°以内の角度）である場合に、ＵＳＢポート３２に接続されたＵＳＢメモリ５０がスイッチ部４６の接触部４６２ａを押圧するように、スイッチ部４６を表示部２２に設けてもよい。この構成によれば、表示部２２を完全に閉じる前に、窓部４９を介して、接続状態表示部４６６２が接続表示部である赤色（ＵＳＢメモリ５０接続状態）であることをユーザに視認させて、抜け忘れたＵＳＢメモリ５０の抜脱を促すことができる。
このように、生体情報表示装置１００によれば、診断データ移行時等に、ＵＳＢメモリ５０を接続して操作し、例えば、表示部２２と装置本体２１とを閉じて操作を終了する場合、ＵＳＢメモリ５０の抜き忘れを防止することができる。
【００７５】
また、生体情報収集装置１００の喚起手段４０は、装置本体２１及び表示部２２の閉状態における表示部２２の最上面である天面を有する天面部２２２に設けた窓部４９を介して、接続状態表示部４６６２で、赤色領域の部分でＵＳＢメモリ５０とＵＳＢポート３２の接続状態を表示してＵＳＢメモリ５０の抜脱を喚起させる。
これにより、装置本体２１と表示部２２とを閉じた閉状態で、ユーザの目が最も届く天面２２２の窓部４９を介して、ユーザにＵＳＢメモリ５０の抜け忘れを視認させることで喚起できる。よって、ユーザに、ＵＳＢメモリ５０をＵＳＢポート３２から確実に抜脱させてＵＳＢメモリ５０の抜き忘れを防止することができる。
【００７６】
＜変形例１＞
図１７に示す生体情報表示装置１００Ａは、図１に示す実施の形態１に対応する生体情報表示装置１００と同様の基本的構成を有しており、同一の構成要素には同一の符号を付し、その説明を省略する。
【００７７】
生体情報表示装置１００Ａは、生体情報表示装置１００において喚起手段４０の構成のみ異なる。
【００７８】
生体情報表示装置１００Ａは、装置本体２１と、心電図を表示する表示部２２と、喚起手段４０ＡとしてのＵＳＢポート３２Ａを有する。
【００７９】
装置本体２１と表示部２２とは、生体情報表示装置１００と同様に、ヒンジ部３０を介して開閉自在に取りつけられ、装置本体２１に対して表示部２２は折り畳み自在である。
【００８０】
ＵＳＢメモリ５０が接続されるＵＳＢポート３２Ａは、表示部２２が装置本体２１上に折り畳まれた際に、互いに対向する対向面である装置本体２１の主面２１２及び表示部２２の面２２１の一方の面から、接続したＵＳＢメモリ５０が突出するように設けられる。
【００８１】
図１７では、ＵＳＢポート３２Ａは、表示部２２の表示面２２１に開口して設けられ、ＵＳＢポート３２Ａに接続されるＵＳＢメモリ５０は表示面２２１から直交する方向に突出する。
【００８２】
これにより、生体情報表示装置１００Ａを使用する際に、患者の生体情報、ここでは心電図を確認する表示画面２３が配置された表示部２２のＵＳＢポート３２ＡにＵＳＢメモリ５０を接続するため、背面にＵＳＢポートが設けられた構造の生体情報表示装置と比較して、ＵＳＢメモリ５０の挿抜が容易である。また、表示部２２の表示面２２１において、表示画面２３を視認しつつ、接続された状態であることを確認することができ、ＵＳＢメモリ５０の抜け忘れの防止を図ることができる。
【００８３】
また、ＵＳＢポート３２ＡにＵＳＢメモリ５０を接続した状態で、表示部２２を装置本体２１に対して閉じるように移動させると、図１８に示すように、ＵＳＢポート３２Ａから突出するＵＳＢメモリ５０の後端部が、装置本体２１の主面２１２に当接して、表示部２２を閉じる動作（閉動作）を阻害する。
【００８４】
これにより、ユーザに対して、ＵＳＢメモリ５０がＵＳＢポート３２Ａに接続した状態であって、ＵＳＢメモリ５０の抜脱を喚起して、ＵＳＢメモリ５０の取り忘れを防止できる。
【００８５】
なお、本実施の形態の生体情報表示装置１００及び変形例１の生体情報表示装置１００Ａでは、開閉自在に設けられて折り畳み可能な装置本体２１及び表示部２２において、ＵＳＢポート３２、３２Ａと喚起手段４０、４０Ａとを表示部２２側に設けたが、これに限らず、装置本体２１側に設けても良い。
【００８６】
＜変形例２＞
図１９は、本発明に係る一実施の形態の生体情報表示装置の変形例２を示す外観斜視図である。
【００８７】
図１９に示す生体情報表示装置１００Ｂは、図１に示す実施の形態１に対応する生体情報表示装置１００と同様の基本的構成を有しており、同一の構成要素には同一の符号を付し、その説明を省略する。
【００８８】
生体情報表示装置１００Ｂは、生体情報表示装置１００の構成において、ＵＳＢポート３２Ｂと喚起手段４０Ｂとを装置本体２１側に設けたものである。
【００８９】
喚起手段４０Ｂは、ＵＳＢポート３２ＢにＵＳＢメモリ５０が接続された状態で、表示部２２と装置本体２１とを折り畳むことで、表示部２２と装置本体２１とを閉じる際に、ユーザに取り忘れたＵＳＢメモリ５０の抜脱を喚起する。
【００９０】
喚起手段４０Ｂは、喚起手段４０と比較して、スイッチ部４６Ｂの構成が異なる。
【００９１】
喚起手段４０Ｂは、ＵＳＢポート３２Ｂ、収容部４４Ｂ、スイッチ部４６Ｂ、窓部４９Ｂ、図示しないＬＥＤ等の発光部を有する。なお、発光部は、窓部４９Ｂを介して、ＵＳＢメモリ５０とＵＳＢポート３２Ｂとの接続状態を表示してＵＳＢメモリ５０の抜脱を喚起する接続状態表示部である。
【００９２】
喚起手段４０Ｂでは、装置本体２１の主面２１２に凹状に形成された収容部４４Ｂ内に、ＵＳＢポート３２Ｂが図示しない軸部を介して回動自在に設けられている。
【００９３】
収容部４４Ｂの底部には、スイッチ部４６Ｂの押圧部４６２Ｂが収容部４４Ｂの底面と直交する方向、ここでは、装置本体２１の厚み方向に進退自在に配置されている。
【００９４】
スイッチ部４６Ｂの押圧部４６２Ｂは、棒状体であり、ＵＳＢポート３２Ｂに接続されるＵＳＢメモリ５０が、収容部４４Ｂに収容された際に押圧される。
【００９５】
スイッチ部４６Ｂは、ここでは、窓部４９Ｂの内側に配置された発光部を発光させる回路基板に実装されるタクタイルスイッチであり、押圧部４６２Ｂが押圧されることにより、回路を通電させて発光部を発光させる。スイッチ部４６Ｂは、モーメンタリ動作をするものである。スイッチ部４６Ｂは、ＵＳＢメモリ５０により押圧部４６２Ｂが押圧されるとオンになり、発光部は発光し、ＵＳＢメモリ５０が抜かれて押圧状態が解除されるとオフとなり、発光部は発光しない。
【００９６】
生体情報表示装置１００Ｂによれば、ＵＳＢポート３２ＢにＵＳＢメモリ５０を接続した状態で、表示部２２を装置本体２１に対して閉じた際に、ＵＳＢポート３２Ｂの回動により収容部４４Ｂ内に配置されるＵＳＢメモリが押圧部４６２Ｂを押圧して、発光部が発光する。これにより、表示部２２を閉じた状態において、窓部４９Ｂを介してユーザに、ＵＳＢメモリ５０が装着状態であることを視認させ、ＵＳＢメモリのＵＳＢポート３２Ｂからの抜脱を喚起する。
【００９７】
なお、発光部による喚起手段４０Ｂは、図１に示す生体情報表示装置１００の構成において、喚起手段４０に代えた構成にしてもよい。この場合、ＵＳＢメモリ５０がＵＳＢポート３２に接続された状態で装置本体２１に対して表示部２２を閉じた際に、表示部２２の天面部２２２の窓部４９内が発光することにより、ＵＳＢメモリ５０の接続状態、つまり、ＵＳＢメモリ５０の抜き忘れを表示し、ユーザにＵＳＢメモリ５０の抜脱を促すことができる。
【００９８】
また、本実施の形態の生体情報表示装置１００、１００Ａ、１００Ｂにおいて、窓部４９、４９Ｂは、装置本体２１及び表示部２２のうち、ＵＳＢポート３２、３２Ａ、３２Ｂが配置される側とは逆の筐体に設けられても良い。
【００９９】
また、生体情報表示装置１００、１００Ｂにおける窓部４９、４９Ｂは、ＵＳＢメモリ５０の接続状態を表示可能な構成であれば、表示部２２を装置本体２１に対して閉じて折り畳んだ際の外面のどこに設けられても良い。
【０１００】
また、ＵＳＢメモリ５０の接続状態のまま、表示部２２を装置本体２１に対して折り畳んだ際にアラームを発音するようにしても良い。
【０１０１】
以上、本発明の実施の形態について説明した。なお、以上の説明は本発明の好適な実施の形態の例証であり、本発明の範囲はこれに限定されない。つまり、上記装置の構成や各部分の形状についての説明は一例であり、本発明の範囲においてこれらの例に対する様々な変更や追加が可能であることは明らかである。
【産業上の利用可能性】
【０１０２】
本発明に係る生体情報表示装置は、携帯型の記憶媒体（記憶装置でもよい）を接続して行う操作を終了する場合でも、携帯型の記憶媒体の抜脱を促して携帯型の記憶媒体の抜き忘れを防止できる効果を有し、携帯型の記憶媒体を介した診断データの移行が必要な生体情報表示装置として有用である。
【符号の説明】
【０１０３】
２１  装置本体
２２  表示部
２３  表示画面
３０  ヒンジ部
３２、３２Ａ、３２Ｂ  ＵＳＢポート
４０、４０Ａ、４０Ｂ  喚起手段
４２  軸部
４４、４４Ｂ  収容部
４６、４６Ｂ  スイッチ部
４７  ガイド部
４９、４９Ｂ  窓部
５０  ＵＳＢメモリ（携帯型の記憶媒体）
１００、１００Ａ、１００Ｂ  生体情報表示装置
２１２  主面（対向面）
２２１  表示面（対向面）
２２２  天面部
３２１  ソケット
４６２、４６２Ｂ  押圧部
４６２ａ  接触部
４６２１  棒状部
４６２２  ラッチ部
４６２３  ラッチ面
４６２４、４６５４  案内溝
４６３  第一付勢部材
４６４  回転部
４６５  被押圧部
４６５３  受けラッチ部
４６６  回転表示円盤部
４６６２  接続状態表示部
４６７  第二付勢部材
４７４  ガイド突起部
【図１】
2019042047.tif 000003
【図２】
2019042047.tif 000004
【図３】
2019042047.tif 000005
【図４】
2019042047.tif 000006
【図５】
2019042047.tif 000007
【図６】
2019042047.tif 000008
【図７】
2019042047.tif 000009
【図８】
2019042047.tif 000010
【図９】
2019042047.tif 000011
【図１０】
2019042047.tif 000012
【図１１】
2019042047.tif 000013
【図１２】
2019042047.tif 000014
【図１３】
2019042047.tif 000015
【図１４】
2019042047.tif 000016
【図１５】
2019042047.tif 000017
【図１６】
2019042047.tif 000018
【図１７】
2019042047.tif 000019
【図１８】
2019042047.tif 000020
【図１９】
2019042047.tif 000021